(57)【要約】  無線通信システムにおいて、複数のトランスポートフォーマットを選択し、複数のＨ−ＡＲＱプロセスにより１つのＴＴＩで同時に複数のトランスポートブロック（ＴＢ）を送信するための方法および装置が開示される。利用可能な物理資源およびその利用可能な物理資源に関連付けられたＨ−ＡＲＱプロセスが識別され、その利用使用可能な物理資源の各々のチャンネル品質が判定される。送信されるべき上位層データのサービス品質（ＱｏＳ）要件が判定される。その上位層データは、少なくとも２つのＨ−ＡＲＱプロセスにマップされる。各Ｈ−ＡＲＱプロセスにマップされた上位層データのＱｏＳ要件をサポートするように物理的送信およびＨ−ＡＲＱ構成が判定される。ＴＢは、各Ｈ−ＡＲＱプロセスの物理的送信およびＨ−ＡＲＱ構成に従って、マップされた上位層データからＴＢがそれぞれ発生される。ＴＢは、Ｈ−ＡＲＱプロセス経由で同時に送信される。
2009522870.tif 000002
【特許請求の範囲】
【請求項１】
無線通信システムにおいて、複数のハイブリッド自動リピート要求（Ｈ−ＡＲＱ）プロセスにより１つの送信時間間隔（ＴＴＩ）において複数のトランスポートブロック（ＴＢ）を送信するための方法であって、
利用可能な物理資源および関連付けられたＨ−ＡＲＱプロセスを識別することと、
前記利用使用可能な物理資源の各々のチャンネル品質測定を得ることと、
少なくとも１つの上位層データフローを少なくとも２つのＨ−ＡＲＱプロセスにマップすることと、
各Ｈ−ＡＲＱプロセスにマップされた前記上位層データフローのサービス品質（ＱｏＳ）要件をサポートするように物理的送信パラメータおよびＨ−ＡＲＱ構成を判定することと、
各Ｈ−ＡＲＱプロセスの前記物理的送信パラメータおよびＨ−ＡＲＱ構成に従って、前記マップされた上位層データフローからトランスポートブロック（ＴＢ）をそれぞれ発生することと、
前記Ｈ−ＡＲＱプロセス経由で同時に前記ＴＢを送信することと
を備えることを特徴とする方法。
【請求項２】
前記物理的送信パラメータおよびＨ−ＡＲＱ構成は、各ＴＢのトランスポートフォーマットコンビネーション（ＴＦＣ）を含むことを特徴とする請求項１に記載の方法。
【請求項３】
前記通信ノードは、多入力多出力（ＭＩＭＯ）のための複数のアンテナを含み、前記利用可能な物理資源は、独立の空間データストリームに基づいて識別されることを特徴とする請求項１に記載の方法。
【請求項４】
前記利用可能な物理資源は、独立の周波数サブキャリアに基づいて識別されることを特徴とする請求項１に記載の方法。
【請求項５】
前記サブキャリアは、分散されたサブキャリアであることを特徴とする請求項４に記載の方法。
【請求項６】
前記サブキャリアは、局所化されたサブキャリアであることを特徴とする請求項４に記載の方法。
【請求項７】
前記利用可能な物理資源は、独立のチャンネル化符号に基づいて識別されることを特徴とする請求項１に記載の方法。
【請求項８】
前記利用可能な物理資源は、異なる時間スロットに基づいて識別されることを特徴とする請求項１に記載の方法。
【請求項９】
前記物理資源および前記Ｈ−ＡＲＱプロセスの前記関連付けは、動的に判定されることを特徴とする請求項１に記載の方法。
【請求項１０】
前記物理資源および前記Ｈ−ＡＲＱプロセスの前記関連付けは、準静的に構成されることを特徴とする請求項１に記載の方法。
【請求項１１】
次のＴＴＩにおいて送信されるべき上位層データフローを選択することをさらに備え、これにより、前記選択された上位層データフローのみが前記Ｈ−ＡＲＱプロセスにマップされることを特徴とする請求項１に記載の方法。
【請求項１２】
各上位層データフローのパケットは、寿命時間が割り当てられ、これにより、送信のためのパケットの前記選択が前記寿命時間に基づいて為されることを特徴とする請求項１１に記載の方法。
【請求項１３】
前記上位層データフローのＱｏＳ要件が同様であるときに、前記物理的送信およびＨ−ＡＲＱ構成は、前記利用可能なＨ−ＡＲＱプロセスにわたるＱｏＳが同様であるように判定されることを特徴とする請求項１に記載の方法。
【請求項１４】
高い順位の変調および符号方式（ＭＣＳ）は、高いチャンネル品質を有するＨ−ＡＲＱプロセスに適用され、低い順位のＭＣＳは、低いチャンネル品質を有するＨ−ＡＲＱプロセスに適用されることを特徴とする請求項１３に記載の方法。
【請求項１５】
最大の再送信の数は、前記Ｈ−ＡＲＱプロセスにマップされた上位層データフローの前記ＱｏＳ要件に基づいて各Ｈ−ＡＲＱプロセスに割り当てられることを特徴とする請求項１３に記載の方法。
【請求項１６】
前記上位層データフローのＱｏＳ要件が同様でないときに、前記上位層データフローの各々は、前記上位層データフローのＱｏＳ要件に密接に合致するチャンネル品質に関連付けられたＨ−ＡＲＱプロセスにマップされることを特徴とする請求項１に記載の方法。
【請求項１７】
前記上位層データフローのＱｏＳ要件が同様でないときに、再送信の最大数は、前記Ｈ−ＡＲＱプロセスにマップされた上位層データフローの前記ＱｏＳ要件に基づいてＨ−ＡＲＱプロセスに割り当てられることを特徴とする請求項１に記載の方法。
【請求項１８】
前記Ｈ−ＡＲＱプロセスにマップされた物理資源は、ＴＢの送信が失敗したときに、前記ＴＢの再送信に対して不変であることを特徴とする請求項１に記載の方法。
【請求項１９】
物理的送信およびＨ−ＡＲＱ構成は、前記ＴＢの再送信に対して変更されることを特徴とする請求項１８に記載の方法。
【請求項２０】
前記ＴＢは、再送信に対して断片化されることを特徴とする請求項１８に記載の方法。
【請求項２１】
前記ＴＢにマップされた物理資源は、前記ＴＢの送信が失敗したときに、前記ＴＢの再送信に対して変更されることを特徴とする請求項１に記載の方法。
【請求項２２】
前記無線通信システムは、発展型高速パケットアクセス（ＨＳＰＡ＋）システムであることを特徴とする請求項１に記載の方法。
【請求項２３】
前記無線通信システムは、第三世代（３Ｇ）無線通信システムの長期発展形（ＬＴＥ）であることを特徴とする請求項１に記載の方法。
【請求項２４】
前記利用可能な物理資源および関連付けられたＨ−ＡＲＱプロセスは、共通のＴＴＩ境界の始めにて判定されることを特徴とする請求項１に記載の方法。
【請求項２５】
前記物理的な送信パラメータは、各ＴＢの変調および符号方式（ＭＣＳ）を含むことを特徴とする請求項１に記載の方法。
【請求項２６】
各ＴＢのＭＣＳは、前記ＴＢのＱｏＳ要件を差別化するように選択されることを特徴とする請求項２５に記載の方法。
【請求項２７】
各ＴＢのＭＣＳは、前記Ｈ−ＡＲＱプロセスにわたってサポートされた前記ＱｏＳが同様であるように選択されることを特徴とする請求項２５に記載の方法。
【請求項２８】
前記物理的送信パラメータは、各ＴＢのトランスポートブロックサイズを含むことを特徴とする請求項１に記載の方法。
【請求項２９】
各ＴＢのＴＢサイズは、前記ＴＢのＱｏＳ要件を差別化するように選択されることを特徴とする請求項２８に記載の方法。
【請求項３０】
各ＴＢのＴＢサイズは、前記Ｈ−ＡＲＱプロセスにわたってサポートされた前記ＱｏＳが同様であるように選択されることを特徴とする請求項２８に記載の方法。
【請求項３１】
無線通信システムにおいて、複数のハイブリッド自動リピート要求（Ｈ−ＡＲＱ）プロセスにより１つの送信時間間隔（ＴＴＩ）で同時に複数のトランスポートブロック（ＴＢ）を送信するための装置であって、
複数のＨ−ＡＲＱプロセスと、
利用可能な物理資源および前記利用可能な物理資源に関連付けられたＨ−ＡＲＱプロセスを識別し、前記利用可能な物理資源の各々のチャンネル品質および前記上位層データフローのサービス品質（ＱｏＳ）要件に基づいて、少なくとも１つの上位層データフローを少なくとも２つのＨ−ＡＲＱプロセスにマップし、各Ｈ−ＡＲＱプロセスにマップされた前記上位層データフローのＱｏＳ要件をサポートするように物理的送信パラメータおよびＨ−ＡＲＱ構成を判定するように構成されたコントローラと、
複数の多重化およびリンクアダプテーションプロセッサであって、各多重化およびリンクアダプテーションプロセッサが１つのＨ−ＡＲＱプロセスに関連付けられ、各Ｈ−ＡＲＱプロセスの前記物理的送信パラメータおよびＨ−ＡＲＱ構成に従って、前記多重化およびリンクアダプテーションプロセッサにマップされた前記上位層データフローからＴＢを発生するように構成された複数の多重化およびリンクアダプテーションプロセッサと
を備えたことを特徴とする装置。
【請求項３２】
各多重化およびリンクアダプテーションプロセスは、マップされた前記上位層データフローのトランスポートフォーマットコンビネーション（ＴＦＣ）を判定することを特徴とする請求項３１に記載の装置。
【請求項３３】
前記コントローラは、多入力多出力（ＭＩＭＯ）のための複数のアンテナによって発生された独立の空間データストリームに基づいて前記利用可能な物理資源を識別することを特徴とする請求項３１に記載の装置。
【請求項３４】
前記コントローラは、独立のサブキャリアに基づいて前記利用可能な物理資源を識別することを特徴とする請求項３１に記載の装置。
【請求項３５】
前記サブキャリアは、分散されたサブキャリアであることを特徴とする請求項３４に記載の装置。
【請求項３６】
前記サブキャリアは、局所化されたサブキャリアであることを特徴とする請求項３４に記載の装置。
【請求項３７】
前記コントローラは、独立のチャンネル化符号に基づいて前記利用可能な物理資源を識別することを特徴とする請求項３１に記載の装置。
【請求項３８】
前記利用可能な物理資源は、異なる時間スロットに基づいて識別されることを特徴とする請求項３１に記載の装置。
【請求項３９】
前記物理資源および前記Ｈ−ＡＲＱプロセスの前記関連付けは、動的に判定されることを特徴とする請求項３１に記載の装置。
【請求項４０】
前記物理資源および前記Ｈ−ＡＲＱプロセスの前記関連付けは、静的に構成されることを特徴とする請求項３１に記載の装置。
【請求項４１】
前記コントローラは、次のＴＴＩにおいて送信されるべき少なくとも１つの上位層データフローを選択し、前記選択された上位層データフローのみを前記Ｈ−ＡＲＱプロセスにマップするように構成されることを特徴とする請求項３１に記載の装置。
【請求項４２】
前記上位層データフローのパケットは、寿命時間が割り当てられ、これにより、前記コントローラが前記寿命時間に基づいて送信のためのパケットを選択することを特徴とする請求項４１に記載の装置。
【請求項４３】
前記上位層データフローのＱｏＳ要件が同様であるときに、前記コントローラは、前記利用可能なＨ−ＡＲＱプロセスにわたってＱｏＳを正規化するように前記物理的送信およびＨ−ＡＲＱ構成を判定することを特徴とする請求項３１に記載の装置。
【請求項４４】
前記コントローラは、高いチャンネル品質を有するＨ−ＡＲＱプロセスに高い順位の変調および符号方式（ＭＣＳ）を適用し、低いチャンネル品質を有するＨ−ＡＲＱプロセスに低い順位のＭＣＳを適用することを特徴とする請求項４３に記載の装置。
【請求項４５】
前記コントローラは、前記Ｈ−ＡＲＱプロセスにマップされた前記上位層データの前記ＱｏＳ要件に基づいて各Ｈ−ＡＲＱプロセスに最大の再送信制限を割り当てることを特徴とする請求項４３に記載の装置。
【請求項４６】
前記上位層データのＱｏＳ要件が同様でないときに、前記コントローラは、前記上位層データのＱｏＳ要件に密接に合致するチャンネル品質に関連付けられたＨ−ＡＲＱプロセスに前記上位層データをマップすることを特徴とする請求項３１に記載の装置。
【請求項４７】
前記上位層のデータのＱｏＳ要件が同様でないときに、前記コントローラは、Ｈ−ＡＲＱ処理に前記Ｈ−ＡＲＱプロセスへマップされた前記上位層データの前記ＱｏＳ要件に基づいて最大再送信限界を割り当てることを特徴とする請求項３１に記載の装置。
【請求項４８】
前記コントローラは、ＴＢの送信が失敗したときに、前記ＴＢの再送信に対して同じ物理資源を割り当てることを特徴とする請求項３１に記載の装置。
【請求項４９】
前記コントローラは、前記ＴＢの再送信に対して物理的送信およびＨ−ＡＲＱ構成を変更することを特徴とする請求項４８に記載の装置。
【請求項５０】
前記コントローラは、再送信に対して前記ＴＢを断片化することを特徴とする請求項４８に記載の装置。
【請求項５１】
前記コントローラは、ＴＢの送信が失敗したときに、前記ＴＢの再送信に対する物理資源を変更することを特徴とする請求項３１に記載の装置。
【請求項５２】
前記無線通信システムは、発展型高速パケットアクセス（ＨＳＰＡ＋）システムであることを特徴とする請求項３１に記載の装置。
【請求項５３】
前記無線通信システムは、第三世代（３Ｇ）無線通信システムの長期発展形（ＬＴＥ）であることを特徴とする請求項３１に記載の装置。
【請求項５４】
前記利用可能な物理資源および関連付けられたＨ−ＡＲＱプロセスは、共通のＴＴＩ境界の始めにて判定されることを特徴とする請求項３１に記載の装置。
【請求項５５】
前記物理的送信パラメータは、各ＴＢの変調および符号方式（ＭＣＳ）を含むことを特徴とする請求項３１に記載の装置。
【請求項５６】
各ＴＢのＭＣＳは、前記ＴＢのＱｏＳ要件を差別化するように選択されることを特徴とする請求項５５に記載の装置。
【請求項５７】
各ＴＢのＭＣＳは、前記Ｈ−ＡＲＱプロセスにわたってサポートされた前記ＱｏＳが同様になるように選択されることを特徴とする請求項５５に記載の装置。
【請求項５８】
前記物理的送信パラメータは、各ＴＢのトランスポートブロックサイズを含むことを特徴とする請求項３１に記載の装置。
【請求項５９】
各ＴＢのＴＢサイズは、前記ＴＢのＱｏＳ要件を差別化するように選択されることを特徴とする請求項５８に記載の装置。
【請求項６０】
各ＴＢのＴＢサイズは、Ｈ−ＡＲＱプロセスにわたってサポートされた前記ＱｏＳが同様になるように選択されることを特徴とする請求項５８に記載の装置。
【発明の詳細な説明】
【技術分野】
【０００１】
本発明は、無線通信システムに関する。より詳細には、本発明は、無線通信システムにおいて、複数のトランスポートフォーマットを選択し、複数のハイブリッド自動リピート要求（Ｈ−ＡＲＱ：Ｈｙｂｒｉｄ  Ａｕｔｏｍａｔｉｃ  Ｒｅｐｅａｔ  Ｒｅｑｕｅｓｔ）プロセスにより送信時間間隔（ＴＴＩ：Ｔｒａｎｓｍｉｓｓｉｏｎ  Ｔｉｍｅ  Ｉｎｔｅｒｖａｌ）において複数のトランスポートブロック（ＴＢ：Ｔｒａｎｓｐｏｒｔ  Ｂｌｏｃｋ）を同時に送信するための方法および装置に関する。
【背景技術】
【０００２】
発展型高速パケットアクセス（ＨＳＰＡ＋：ｅｖｏｌｖｅｄ  Ｈｉｇｈ  Ｓｐｅｅｄ  Ｐａｃｋｅｔ  Ａｃｃｅｓｓ）ならびに汎用地上無線アクセス（ＵＴＲＡ：Ｕｎｉｖｅｒｓａｌ  Ｔｅｒｒｅｓｔｒｉａｌ  Ｒａｄｉｏ  Ａｃｃｅｓｓ）および汎用地上無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の長期発展形（ＬＴＥ：Ｌｏｎｇ  Ｔｅｒｍ  Ｅｖｏｌｕｔｉｏｎ）の目的は、高データレート、低レイテンシー、パケット最適化、ならびに改善されたシステム容量およびカバレッジに向けて無線アクセスネットワークを開発することである。これらの目標を達成するために、無線インタフェースおよび無線ネットワークアーキテクチャの発展が検討されている。ＨＳＰＡ＋においては、エアインタフェース技術は依然として符号分割多元アクセス（ＣＤＭＡ：Ｃｏｄｅ  Ｄｉｖｉｓｉｏｎ  Ｍｕｌｔｉｐｌｅ  Ａｃｃｅｓｓ）に基づくであろうが、独立のチャンネル化符号（チャンネル品質に関して区別される）および多入力多出力（ＭＩＭＯ：Ｍｕｌｔｉｐｌｅ−Ｉｎｐｕｔ  Ｍｕｌｔｉｐｌｅ−Ｏｕｔｐｕｔ）を含むことができる、より効率的な物理層アーキテクチャを有する。ＬＴＥにおいては、直交周波数分割多重アクセス（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）および周波数分割多重アクセス（ＦＤＭＡ：Ｆｒｅｑｕｅｎｃｙ  Ｄｉｖｉｓｉｏｎ  Ｍｕｌｔｉｐｌｅ  Ａｃｃｅｓｓ）が、それぞれダウンリンクおよびアップリンクに使用されることになるエアインタフェース技術として、提案されている。
【０００３】
Ｈ−ＡＲＱは、第三世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）および３ＧＰＰ２を含む、いくつかの無線通信標準によって採用されている。無線リンク制御（ＲＬＣ：Ｒａｄｉｏ  Ｌｉｎｋ  Ｃｏｎｔｒｏｌ）層の自動リピート要求（ＡＲＱ：Ａｕｔｏｍａｔｉｃ  Ｒｅｐｅａｔ  Ｒｅｑｕｅｓｔ）機能の他に、Ｈ−ＡＲＱは、スループットを改善し、リンクアダプテーションエラーを補償し、チャンネルを通しての効率的な伝送レートを提供する。Ｈ−ＡＲＱフィードバック（すなわち、肯定応答（ＡＣＫ）または否定応答（ＮＡＣＫ））により生じる遅延は、Ｈ−ＡＲＱ機能を無線ネットワークコントローラ（ＲＮＣ：Ｒａｄｉｏ  Ｎｅｔｗｏｒｋ  Ｃｏｎｔｒｏｌｌｅｒ）よりむしろノードＢに置くことによって、かなり低減される。ユーザ機器（ＵＥ：Ｕｓｅｒ  Ｅｑｕｉｐｍｅｎｔ）の受信機は、元の送信のソフトビットを後続の再送信のソフトビットと合成し、より高いブロック誤り率（ＢＬＥＲ）性能を達成することができる。チェースコンバイニング（Ｃｈａｓｅ  ｃｏｍｂｉｎｉｎｇ）またはインクリメンタルリダンダンシー（ｉｎｃｒｅｍｅｎｔａｌ  ｒｅｄｕｎｄａｎｃｙ）を実装することができる。
【０００４】
非同期Ｈ−ＡＲＱが、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）において使用され、同期Ｈ−ＡＲＱが、高速アップリンクパケットアクセス（ＨＳＵＰＡ：Ｈｉｇｈ  Ｓｐｅｅｄ  Ｕｐｌｉｎｋ  Ｐａｃｋｅｔ  Ａｃｃｅｓｓ）において使用される。ＨＳＤＰＡおよびＨＳＵＰＡの両方において、送信のために割り振られる無線資源は、１つのチャンネル品質表示（ＣＱＩ：Ｃｈａｎｎｅｌ  Ｑｕａｌｉｔｙ  Ｉｎｄｉｃａｔｉｏｎ）フィードバックに基づくある特定の周波数帯での符号の数である。チャンネル化符号の間には差別化はない。したがって、複数の専用チャンネルＭＡＣ（ＭＡＣ−ｄ）のフローから多重化された、１つのＨＳＤＰＡ媒体アクセス制御（ＭＡＣ−ｈｓ）のフローまたは１つのＨＳＵＰＡ媒体アクセス制御（ＭＡＣ−ｅ／ｅｓ）のフローが、１つのＨ−ＡＲＱプロセスに割り当てられ、１つの巡回冗長符号検査（ＣＲＣ：Ｃｙｃｌｉｃ  Ｒｅｄｕｎｄａｎｃｙ  Ｃｈｅｃｋ）が１つのトランスポートブロックに添付される。
【発明の開示】
【発明が解決しようとする課題】
【０００５】
ＨＳＰＡ＋において導入された新しい物理層の属性には、ＭＩＭＯおよび種々のチャンネル化符号が含まれる。ＬＴＥにおいて導入された新しい物理層の属性には、ＭＩＭＯおよび種々のサブキャリア（局所化または分散される）が含まれる。これらの新しい物理層の属性の導入により、従来の単一Ｈ−ＡＲＱ方式およびトランスポートフォーマットコンビネーション（ＴＦＣ：Ｔｒａｎｓｐｏｒｔ  Ｆｏｒｍａｔ  Ｃｏｍｂｉｎａｔｉｏｎ）選択手順の性能は、変更されるべきである。従来の単一Ｈ−ＡＲＱ方式において、一時に１つのＨ−ＡＲＱプロセスのみがアクティブであり、１つのトランスポートデータブロックのみのＴＦＣが各ＴＴＩにおいて判定される必要がある。従来のＴＦＣ選択手順は、複数のＨ−ＡＲＱプロセスに対して１より多いデータブロックについてのＴＦＣ選択を為す能力を持たない。
【課題を解決するための手段】
【０００６】
本発明は、無線通信システムにおいて、複数のトランスポートフォーマットを選択し、複数のＨ−ＡＲＱプロセスにより１つのＴＴＩにおいて同時に複数のＴＢを送信するための方法および装置に関する。利用可能な物理資源およびその利用可能な物理資源の各々のチャンネル品質が判定され、その利用可能な物理資源に関連付けられたＨ−ＡＲＱプロセスが識別される。送信されるべき上位層データフローのサービス品質（ＱｏＳ：Ｑｕａｌｉｔｙ  ｏｆ  ｓｅｒｖｉｃｅ）要件が判定される。上位層データフローは、少なくとも２つのＨ−ＡＲＱプロセスにマップされる。各Ｈ−ＡＲＱプロセスにマップされた上位層データフローのＱｏＳ要件をサポートする物理的送信パラメータおよびＨ−ＡＲＱ構成が判定される。ＴＢは、各Ｈ−ＡＲＱプロセスの物理的送信パラメータおよびＨ−ＡＲＱ構成に従って、マップされた上位層データからそれぞれ発生される。ＴＢは、Ｈ−ＡＲＱプロセス経由で同時に送信される。
【０００７】
本発明のより詳細な理解は、例として与えられ、付属の図面に関連して理解されるべき、好適な実施形態の以下の説明から得ることができる。
【発明を実施するための最良の形態】
【０００８】
以後参照されるとき、用語「無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）」には、限定するものではないが、ユーザ機器（ＵＥ）、移動局、固定または移動の加入者ユニット、ページャ、セルラー電話、携帯情報端末（ＰＤＡ）、コンピュータ、または無線環境において動作する能力のある他の任意のタイプのユーザデバイスが含まれる。以後参照されるとき、用語「基地局（ＢＳ：Ｂａｓｅ  Ｓｔａｔｉｏｎ）」には、限定するものではないが、ノードＢ（Ｎｏｄｅ−Ｂ）、発展型ノードＢ（ｅＮＢ）、サイトコントローラ、アクセスポイント（ＡＰ）、または無線環境において動作する能力のある他の任意のタイプのインタフェースデバイスが含まれる。
【０００９】
本発明は、限定するものではないが、広帯域符号分割多元アクセス（ＷＣＤＭＡ）、ＣＤＭＡ２０００、ＨＳＰＡ＋、３ＧＰＰシステムのＬＴＥ、ＯＦＤＭ、ＭＩＭＯ、またはＯＦＤＭ／ＭＩＭＯを含む、任意の無線通信システムに適用可能である。
【００１０】
本発明の特徴は、集積回路（ＩＣ）に組み込むか、または相互接続された多数の部品を備える回路において構成することができる。
【００１１】
異なるアンテナの空間ビームまたはチャンネル化符号により異なるチャンネル品質を被ることがあり、これは、ＣＱＩフィードバックにより示すことができる。同じ適応変調符号化（ＡＭＣ）をすべてのサブキャリア、空間ビーム、またはチャンネル化符号に対し適用することができ、サブキャリア、空間ビーム、およびチャンネル化符号の品質から独立している。あるいは、性能を最大化するために、チャンネル条件を使用して異なるサブキャリア、空間ビーム、またはチャンネル化符号に対し異なるＡＭＣを適用することができる。
【００１２】
サブキャリア、空間ビーム、またはチャンネル化符号に依存するＡＭＣが使用されるときに、各サブキャリア、空間ビーム、またはチャンネル化符号に割り当てられた各データブロックは、本発明により１つのＣＲＣに関連付けられる。さもなければ、パケットの全体が単一のＣＲＣに関連付けられているので、伝送エラーにより、異なるサブキャリア、空間ビーム、またはチャンネル化符号に分散されたパケット全体が再送信される必要がある。既に正しく受信されているあらゆるデータブロックを再送信することは、貴重な無線資源を浪費することになる。各アンテナは異なるチャンネル条件を対象とする場合があるので、ＭＩＭＯが使用されるときに、同じ状況になる。従って、各Ｈ−ＡＲＱプロセスが１つまたは複数のサブキャリア、チャンネル化符号、送信アンテナ（または空間ビーム）に対応する状況で多次元のＨ−ＡＲＱプロセスが使用されると、本発明により別個のＣＲＣが各トランスポートデータブロックに添付される。従来の単一Ｈ−ＡＲＱ方式においては、一時に１つのＨ−ＡＲＱプロセスのみがアクティブになり、１つのトランスポートデータブロックのみのＴＦＣが各ＴＴＩにおいて判定される必要がある。従来のＴＦＣ選択手順は、複数のＨ−ＡＲＱプロセスのために１より多いデータブロックについてＴＦＣ選択を為して、上位層データフローのＱｏＳ要件を適切にサポートする能力を持たない。
【００１３】
図１は、本発明に従って、複数のＨ−ＡＲＱプロセスにより送信時間間隔（ＴＴＩ）で同時に複数のトランスポートブロック（ＴＢ）を送信するための装置１００のブロック図である。装置１００は、ＷＴＲＵ、ノードＢ、または他の任意の通信デバイスとすることができる。装置１００は、複数のＨ−ＡＲＱプロセス１０２ａ〜１０２ｎ、複数の多重化およびリンクアダプテーションプロセッサ１０４ａ〜１０４ｎ、ならびにコントローラ１０６を含む。各多重化およびリンクアダプテーションプロセッサ１０４ａ〜１０４ｎは、１つのＨ−ＡＲＱプロセス１０２ａ〜１０２ｎに関連付けられる。各多重化およびリンクアダプテーションプロセッサ１０４ａ〜１０４ｎは、物理的資源構成（すなわち、分散されるか、または局所化されたサブキャリア、ＭＩＭＯアンテナ構成、など）、およびこれらの物理的資源に関連付けられたＣＱＩを受信する。
【００１４】
各利用可能なＨ−ＡＲＱプロセス１０２ａ〜１０２ｎは、物理資源の特定のセットに関連付けられる。Ｈ−ＡＲＱプロセス１０２ａ〜１０２ｎへの物理資源の関連付けは、動的に判定することができ、またはその関連付けは準静的に構成することができる。ネットワークエンティティ（例えば、ｅＮＢスケジューラ）は、いくつの物理資源が割り当てられるべきであるかを判定する。特定のＨ−ＡＲＱプロセスに関連付けられた物理資源は、多重化およびリンクアダプテーションプロセッサ１０４ａ〜１０４ｎによってＴＦＣが選択されるたびに、またはＨ−ＡＲＱプロセッサ１０２ａ〜１０２ｎが特定のＴＢのためにＨ−ＡＲＱ再送信を発生するたびに、動的に再割り当てすることができる。物理資源の再割り当ては、特定の物理資源のＣＱＩに基づいて行うか、または予め定義されたホッピングパターンに基づいて判定することができる。
【００１５】
多重化およびリンクアダプテーションプロセッサ１０４ａ〜１０４ｎは、物理資源および関連付けられたＨ−ＡＲＱプロセス１０２ａ〜１０２ｎの各セットについてリンクアダプテーションを独立に行う。各多重化およびリンクアダプテーションプロセッサ１０４ａ〜１０４ｎは、変調および符号方式（ＭＣＳ）、多重化されたＴＢ、送信電力要件、Ｈ−ＡＲＱリダンダンシーのバージョン、および各ＴＴＩの再送信の最大数を判定する。この送信情報のセットは、各Ｈ−ＡＲＱプロセス１０２ａ〜１０２ｎに提供される。
【００１６】
物理資源は、空間ドメインにおける独立の空間的ストリーム（ＭＩＭＯが実装されるなら）、周波数ドメインにおける独立のサブキャリア（ＯＦＤＭＡかＦＤＭＡが実装されるなら）、符号ドメインにおける独立のチャンネル化符号（ＣＤＭＡが実装されるなら）、時間ドメインにおける独立のタイムスロット、またはそれらの任意の組み合わせにより定義することができる。独立のサブキャリアは、分散化または局所化することができる。チャンネル化符号は、異なるＴＢに独立に割り当てることができる物理資源である。ＣＤＭＡシステムにおいては、１つのＴＢ、またはいくつかのＴＢを送信するために、各ＴＢのチャンネル条件およびデータレート要件に基づいて、異なるチャンネル化符号を割り当てることができる。送信することができるＴＢの最大数は、利用可能なチャンネル化符号の最大数以下である。いくつかの独立の空間的ストリーム、サブキャリア、またはチャンネル化符号が利用可能であるとき、いくつかのＴＢはいくつかのＨ−ＡＲＱプロセスにより異なる物理資源を介して同時に送信することができる。例えば、２つの空間的ストリームが２×２ＭＩＭＯシステムにおいて利用可能である場合、２つのＴＢを２つの独立のＨ−ＡＲＱプロセスにより２つの空間的ストリームを介して同時に送信することができる。
【００１７】
異なる物理資源により（すなわち、異なるサブキャリア、アンテナ空間ビーム、チャンネル化符号、またはタイムスロット）、異なるチャンネル品質を被ることがある。各物理資源の品質は、１つまたは複数のＣＱＩ測定により判定される。ＣＱＩは、通信ピアからフィードバックすることができ、またはチャンネル相互関係に基づいて得ることができる。ＣＱＩはまた、許容されたＭＣＳ、および／または最大トランスポートブロックサイズにより表すこともできる。
【００１８】
コントローラ１０６は、利用可能な物理資源およびその利用可能な物理資源に関連付けられたＨ−ＡＲＱプロセスを識別する。各Ｈ−ＡＲＱプロセス１０２ａ〜１０２ｎは特定の物理資源に関連付けられているため、利用可能な物理資源が識別されると、利用可能なＨ−ＡＲＱプロセスもまた識別される。利用可能な物理資源および関連付けられたＨ−ＡＲＱプロセスは、共通のＴＴＩ境界の始めで判定することができる。関連付けはまた、複数のＴＴＩの期間にわたって準静的に構成することができる。
【００１９】
利用可能な物理資源には、ある期間内のデータ送信のために使用することができる、独立の空間的ストリームの数、サブキャリア、チャンネル化符号、およびタイムスロットがある。１つのＷＴＲＵに対して利用可能な物理資源は、ノードＢが１つのセルでサポートする必要があるＷＴＲＵの数、他のセルからの干渉レベル、ＷＴＲＵのチャンネル条件、ＷＴＲＵがサポートする必要があるサービスのＱｏＳレベル（優先順位、レイテンシー、公平性またはバッファ状態など）、１つのＷＴＲＵがサポートする必要があるデータレートなどの多くのファクタに依存する。
【００２０】
本発明によると、複数のＨ−ＡＲＱプロセス１０２ａ〜１０２ｎは同時におよび並列に動作する。Ｈ−ＡＲＱプロセス１０２ａ〜１０２ｎが、成功した送信に対しては異なる再送信の数を採ることがあるため、ならびにそのＨ−ＡＲＱプロセス１０２ａ〜１０２ｎにマップされたデータフローは、異なる再送信の最大数および異なるＴＴＩサイズを判定するＱｏＳ要件を有することがあるため、Ｈ−ＡＲＱプロセスが互いに同期していないなら、あるＨ−ＡＲＱは利用可能とならないことがある。任意の数のＨ−ＡＲＱプロセスが任意のＴＴＩにおいて利用可能となることがある。本発明によると、１より多いＨ−ＡＲＱプロセスおよび関連付けられた物理資源のセットが、１つの共通のＴＴＩにおいて利用可能になる。Ｈ−ＡＲＱプロセスおよび物理資源の間の関連付けは、コントローラ１０６によって調整される。
【００２１】
コントローラ１０６は、上位層データフロー１０８ａ〜１０８ｍ（すなわち、ＭＡＣまたはＲＬＣプロトコルデータユニット（ＰＤＵ）の複数のフロー）を、少なくとも２つの多重化およびリンクアダプテーションプロセッサ１０４ａ〜１０４ｎ、およびそれらの関連付けられたＨ−ＡＲＱプロセス１０２ａ〜１０２ｎにマップする。同じ上位層データフロー１０８ａ〜１０８ｍを、ＱｏＳ正規化のために、１つの共通のＴＴＩにおいて１より多い多重化およびリンクアダプテーションプロセッサ１０４ａ〜１０４ｎならびにＨ−ＡＲＱプロセス１０２ａ−１０２ｎにマップすることができる。同じ上位層データフローまたは上位層データフローのセットを複数のＨ−ＡＲＱプロセスにマップすることによって、Ｈ−ＡＲＱプロセス１０２ａ〜１０２ｎにわたるＱｏＳ要件は共通である。この場合、各多重化およびリンクアダプテーションプロセッサ１０４ａ〜１０４ｎは、関連付けられた物理資源のセットのＣＱＩにより、上位層データフローまたはデータフローのセットの各送信に対して達成されたＱｏＳが可能な限り類似するように、ＭＣＳ、トランスポートブロックサイズ、送信電力、最大Ｈ−ＡＲＱ送信、および送信パラメータを判定する。
【００２２】
あるいは、ＱｏＳ要件に従ってグループ分けすることができる上位層データフロー１０８ａ〜１０８ｍを、データフローＱｏＳ要件および各Ｈ−ＡＲＱプロセスに割り当てられた物理資源のセットに関連付けられたＣＱＩに基づいて、異なるＨ−ＡＲＱプロセス１０２ａ〜１０２ｎにマップすることによって、不均一の誤り保護も達成することができる。例えば、ＣＱＩは、物理資源の１つのセットが物理資源の他のセットより良いことを示すことができる。より高いＱｏＳ要件を有する上位層データフローは、より良い物理資源に関連付けられたＨ−ＡＲＱプロセスにマップすることができる。特定のＨ−ＡＲＱプロセスにマップされることになる上位層データフローの数は、上位層データフローのＱｏＳ要件、パケットサイズ、Ｈ−ＡＲＱ容量などに基づいて判定される。特定のＨ−ＡＲＱプロセスを使用して送信されるべきそれぞれの上位層データフローが判定されると、それらのデータフローは、多重化およびリンクアダプテーションプロセッサ１０４ａ〜１０４ｎを通して異なるＨ−ＡＲＱプロセスのために多重化される。
【００２３】
各多重化およびリンクアダプテーションプロセッサ１０４ａ〜１０４ｎは、入力（割り当てられた物理資源のＣＱＩ、マップされたデータフローのバッファ占有率など）を受け取り、各Ｈ−ＡＲＱプロセスにマップされた上位層データフロー１０８ａ〜１０８ｍのＱｏＳ要件をサポートするために、物理的送信パラメータおよびＨ−ＡＲＱ構成を判定する。物理的送信パラメータには、送信電力、変調よび符号化方式、ＴＴＩサイズ、トランスポートブロックサイズおよびビーム形成パターン、サブキャリア割り当て、ＭＩＭＯアンテナ構成などが含まれる。Ｈ−ＡＲＱ構成パラメータには、Ｈ−ＡＲＱ識別、再送信の最大数、リダンダンシーバージョン（ＲＶ）、ＣＲＣサイズなどが含まれる。多重化およびリンクアダプテーションプロセッサ１０４ａ〜１０４ｎは、関連付けられたＨ−ＡＲＱプロセス１０２ａ〜１０２ｎにＨ−ＡＲＱ構成パラメータを提供する。
【００２４】
多重化およびリンクアダプテーションプロセッサ１０４ａ〜１０４ｎは、物理資源の品質とは独立して、同じＭＣＳ、トランスポートブロックサイズ、ＴＴＩサイズ、および／または送信電力を全ての物理資源に適用することができる。あるいは、多重化およびリンクアダプテーションプロセッサ１０４ａ〜１０４ｎは、性能を最大にするために、チャンネル条件に基づいて異なる物理資源に異なるＭＣＳ、トランスポートブロックサイズ、ＴＴＩサイズ、および／または送信電力を適用することができる。
【００２５】
物理資源依存のＡＭＣおよびＨ−ＡＲＱ動作が使用されるときには、各物理資源に割り当てられる各データブロックは、別個のＣＲＣに関連付けられることが好ましい。この方式により、各トランスポートブロックが別個のＣＲＣに関連付けられ、別個のＨ−ＡＲＱプロセス１０２ａ〜１０２ｎによって処理されるため、送信エラー時に、異なる物理資源に分散されたパケット全体が再送信される必要はない。
【００２６】
多重化およびリンクアダプテーションプロセッサ１０４ａ〜１０４ｎは次いで、チャンネル品質インジケータおよび物理的送信パラメータに基づいてＴＢに対して、適切なＴＦＣ（すなわち、ＴＢサイズ、ＴＢセット集合サイズ、ＴＴＩサイズ、変調および符号方式（ＭＣＳ）、送信電力、アンテナビーム、サブキャリア割り当て、ＣＲＣサイズ、リダンダンシーバージョン（ＲＶ）、およびデータブロックから無線資源へのマッピングなど）を選択した後に、割り当てられた上位層データフロー１１２ａ〜１１２ｍからＴＢを発生する。１つまたは複数の上位層データフローを１つのＴＢに多重化することができる。別個の誤り検出およびＨ−ＡＲＱプロセスのために、別個のＣＲＣがＴＢのそれぞれに添付される。各ＴＢおよび関連付けられた送信パラメータが、割り当てられたＨ−ＡＲＱプロセス１０２ａ〜１０２ｎに対して提供される。ＴＢは次に、割り当てられたＨ−ＡＲＱプロセス１０２ａ〜１０２ｎを介してそれぞれ送信される。
【００２７】
複数のＨ−ＡＲＱプロセスをサポートするパラメータは、受信ピアにて送信またはブラインド検出技法を使用する前にその受信ピアにシグナルして送信パラメータを復号化することができる。関連付けられた送信パラメータと共に発生されたＴＢは、送信のためにＨ−ＡＲＱプロセス１０２ａ−１０２ｎに送信される。
【００２８】
図２は、本発明に従って、複数のＨ−ＡＲＱプロセスにより１つのＴＴＩで同時に複数のＴＢを送信するためのプロセス２００のフロー図である。各Ｈ−ＡＲＱプロセス１０２ａ〜１０２ｎに関連付けられた利用可能な物理資源およびそれらのチャンネル品質が識別される（ステップ２０２）。送信されるべき上位層データフロー１１２ａ〜１１２ｍのＱｏＳ要件およびバッファ占有率が判定される（ステップ２０４）。プロセス２００におけるステップは、異なる順序にて行うことができ、いくつかのステップは並行して行うことができることに注意すべきである。例えば、ステップ２０４は、ステップ２０２の前に、またはそれと同時に適用することができる。
【００２９】
コントローラ１０６は、上位層データフローに関連付けられたＱｏＳパラメータに基づいて、ＴＦＣ選択プロセッシングのために、それらの上位層データフロー１１２ａ〜１１２ｍのタイプを判定することができる。コントローラ１０６はまた、上位層データフローがサービスされる順番を判定することができる。処理の順番は、ＱｏＳ要件または絶対的優先順位により判定することができる。あるいは、上位層データパケットがＨ−ＡＲＱ待ち行列中に留まることができる持続時間を判定する際に、コントローラ１０６が寿命時間パラメータに基づいて上位層データパケットを優先付けするか、または廃棄することができるように寿命時間パラメータを使用することができる。
【００３０】
上位層データフロー１１２ａ〜１１２は、コントローラ１０６により、それぞれのＨ−ＡＲＱプロセス１０２ａ〜１０２ｎにマップされる。物理的送信パラメータおよびＨ−ＡＲＱ構成は、Ｈ−ＡＲＱプロセス１０２ａ〜１０２ｎの各々にマップされた上位層データフロー１１２ａ〜１１２ｍの必要なＱｏＳをサポートするために、利用可能なＨ−ＡＲＱプロセス１０２ａ〜１０２ｎの各々について判定される（ステップ２０６）。１より多いＨ−ＡＲＱプロセスが１つのＴＴＩの送信において利用可能である場合に、どちらの上位層データフロー１１２ａ〜１１２ｍが異なるＨ−ＡＲＱプロセスにマップされるべきであるかを判定することが必要である。上位層データフロー１１２ａ〜１１２ｍは、類似のＱｏＳ要件を有することも、または有さないこともある。
【００３１】
異なるＨ−ＡＲＱプロセスにマップされるべき上位層データフロー１１２ａ〜１１２ｍのすべてまたはサブセットが同様のＱｏＳを必要とするときには、Ｈ−ＡＲＱプロセス１０２ａ〜１０２ｎにより提供されたＱｏＳは正規化される（すなわち、送信パラメータ（ＭＣＳ、ＴＢサイズ、および送信電力など）、およびＨ−ＡＲＱ構成が、１つのＴＦＣが選択される各ＴＴＩに対して、Ｈ−ＡＲＱプロセス１０２ａ〜１０２ｎにわたって提供されるＱｏＳが同様になるように調整される）。複数のＨ−ＡＲＱプロセス１０２ａ〜１０２ｎにわたるＱｏＳ正規化は、Ｈ−ＡＲＱプロセス１０２ａ〜１０２ｎにわたるリンクアダプテーションパラメータ（例えば、ＭＣＳ、ＴＢサイズ、送信電力など）を調整することによって実現することができる。例えば、より良いチャンネル品質を有する物理資源により高いＭＣＳを割り当てることができ、より悪いチャンネル品質を有する物理資源により低いＭＣＳを割り当てることができる。これにより、異なるＨ−ＡＲＱプロセスについて多重化されるデータブロックのサイズが異なることになるかもしれない。
【００３２】
あるいは、上位層データフロー１１２ａ〜１１２ｍが異なるＱｏＳを必要とするとき、上位層データフロー１１２ａ〜１１２ｍは、上位層データフロー１１２ａ〜１１２ｍのＱｏＳ要件に密接に合致する品質を有する物理資源に関連付けられたＨ−ＡＲＱプロセス１０２ａ〜１０２ｎにマップすることができる。複数のＨ−ＡＲＱプロセスを使用する利点は、異なるＨ−ＡＲＱプロセス１０２ａ〜１０２ｎおよび関連付けられた物理資源に対しての異なるＱｏＳ要件を有する多重化された論理チャンネルまたはＭＡＣフローに対するその柔軟性である。ある物理資源が他より良いチャンネル品質を示すとき、その物理資源に関連付けられたＨ−ＡＲＱプロセスにより高いＱｏＳを有するデータがマップされる。このことにより、物理資源の活用が強化され、システムスループットが最大化される。代替的にまたは追加的に、ＭＣＳおよび／または再送信の最大数が、ＱｏＳを差別化して論理チャンネルまたはＭＡＣフローのＱｏＳ要件に対して密接に合致するように構成することができる。
【００３３】
上位層データフロー１１２ａ〜１１２ｍがＨ−ＡＲＱプロセス１０２ａ〜１０２ｎにマップされた後に、各Ｈ−ＡＲＱプロセス１０２ａ〜１０２ｎのＴＢは、各Ｈ−ＡＲＱプロセス１０２ａ〜１０２ｎに関連付けられた上位層データフロー１１２ａ〜１１２ｍを多重化することによって、各Ｈ−ＡＲＱプロセス１０２ａ〜１０２ｎの物理的送信パラメータおよびＨ〜ＡＲＱ構成に従ってそれぞれ発生される（ステップ２０８）。各Ｈ−ＡＲＱプロセス１０２ａ〜１０２ｎについて多重化されるデータは、順次的にまたは並列的に処理することができる。ＴＢは次に、関連付けられたＨ−ＡＲＱプロセス１０２ａ〜１０２ｎ経由で同時に送信される（ステップ２１０）。
【００３４】
送信されたＴＢは、通信ピアで首尾よく受信されることも、またはそうでないこともある。失敗したＴＢは、後続のＴＴＩにおいて再送信される。通信ピアでのソフトコンバイニングのために、再送信されるＴＢのサイズは同じままであることが好ましい。失敗したＴＢの再送信には、いくつかのオプションが可能である。
【００３５】
第１のオプションによると、ＴＢのＨ−ＡＲＱ再送信のために割り振られる物理資源は不変のままである（すなわち、失敗したＴＢが同じ物理資源およびＨ−ＡＲＱプロセスを介して再送信される）。送信パラメータおよびＨ−ＡＲＱ構成（すなわちＴＦＣ）は変更されることがある。具体的には、リンクアダプテーションパラメータ（アンテナ選択、ＡＭＣ、または送信電力など）を変更して、再送信されるＴＢの成功配信の機会を最大化することができる。失敗したＴＢの再送信のためにリンクアダプテーションパラメータが変更されるとき、その変更されたパラメータは受信ピアにシグナルすることができる。あるいは、受信ピアにてブラインド検出技法を適用して、変更されたパラメータのためのシグナリングオーバヘッドを除去することができる。
【００３６】
第２のオプションによると、トランスポートブロックのＨ−ＡＲＱ再送信のために割り振られる物理資源を動的に再割り当てすることができる（すなわち、失敗したＴＢが異なる物理資源および同じＨ−ＡＲＱプロセス上で再送信される）。物理資源の再割り当ては、ＣＱＩに基づくか、または既知のホッピングパターンに基づくことができる。
【００３７】
別のオプションによると、失敗したＨ−ＡＲＱ送信を複数のＨ−ＡＲＱプロセスにわたって断片化し、成功するＨ−ＡＲＱ送信の確率を増加させるように各断片を独立に送信することができる。このオプションによると、再送されるＴＢのための物理資源は新たに割り振られる（すなわち、失敗したＴＢは異なるＨ−ＡＲＱプロセスを介して送信される）。先のＴＴＩにおいて失敗したＴＢを送信するために使用されるＨ−ＡＲＱプロセスは、後続のＴＴＩにおいて任意の他のＴＢの送信のために利用可能となる。最大送信電力、サブキャリアまたはチャンネル化符号の数、アンテナの数または割り振り、および推奨ＭＣＳを、失敗したＴＢの再送信のために再割り振りすることができる。好ましくは、新たに許容されたＴＦＣＳサブセットを発生して、失敗したＴＢの物理資源の変更を反映することができる。新たなパラメータは受信ピアにシグナルして、成功する受信を保証することができる。あるいは、受信ピアにてブラインド検出技法を適用して、変更されたパラメータのシグナリングオーバヘッドを除去することができる。
【００３８】
実施形態
１．無線通信システムにおいて、複数のＨ−ＡＲＱプロセスにより１つのＴＴＩで複数のＴＢを送信するための方法。
【００３９】
２．利用可能な物理資源および関連付けられたＨ−ＡＲＱプロセスを識別するステップを備える実施形態１の方法。
【００４０】
３．前記利用可能な物理資源の各々のチャンネル品質測定を得るステップを備える実施形態１〜２のいずれかの方法。
【００４１】
４．少なくとも１つの上位層データフローを少なくとも２つのＨ−ＡＲＱプロセスにマップするステップを備える実施形態１〜３のいずれかの方法。
【００４２】
５．各Ｈ−ＡＲＱプロセスにマップされた前記上位層データフローのＱｏＳ要件をサポートするために、物理的送信パラメータおよびＨ−ＡＲＱ構成を判定するステップを備える実施形態４の方法。
【００４３】
６．各Ｈ−ＡＲＱプロセスの前記物理的送信パラメータおよびＨ−ＡＲＱ構成に従って、前記マップされた上位層データフローからＴＢをそれぞれ発生するステップを備える実施形態５の方法。
【００４４】
７．前記ＴＢを前記Ｈ−ＡＲＱプロセスを介して同時に送信するステップを備える実施形態６の方法。
【００４５】
８．前記物理的送信パラメータおよびＨ−ＡＲＱ構成は、各ＴＢのためのＴＦＣを含む実施形態５〜７のいずれかの方法。
【００４６】
９．前記通信ノードは、ＭＩＭＯのための複数のアンテナを含み、前記利用可能な物理資源は、独立の空間データストリームに基づいて識別される実施形態２〜８のいずれかの方法。
【００４７】
１０．前記利用可能な物理資源は、独立の周波数サブキャリアに基づいて識別される実施形態２〜９のいずれかの方法。
【００４８】
１１．前記サブキャリアは、分散されたサブキャリアである実施形態１０の方法。
【００４９】
１２．前記サブキャリアは、局所化されたサブキャリアである実施形態１０の方法。
【００５０】
１３．前記利用可能な物理資源は、独立のチャンネル化符号に基づいて識別される実施形態２〜１２のいずれかの方法。
【００５１】
１４．前記利用可能な物理資源は、異なる時間スロットに基づいて識別される実施形態２〜１３のいずれかの方法。
【００５２】
１５．前記物理資源および前記Ｈ−ＡＲＱプロセスの前記関連付けは、動的に判定される実施形態２〜１４のいずれかの方法。
【００５３】
１６．前記物理資源および前記Ｈ−ＡＲＱプロセスの前記関連付けは、準静的に構成される実施形態２〜１４のいずれかの方法。
【００５４】
１７．次のＴＴＩにおいて送信されるべき上位層データフローを選択するステップをさらに備え、これにより、前記選択され上位層データフローのみが前記Ｈ−ＡＲＱプロセスにマップされる実施形態４〜１６のいずれかの方法。
【００５５】
１８．各上位層データフローのパケットは、寿命時間が割り当てられ、送信のためのパケットの前記選択が前記寿命時間に基づいて為される実施形態１７の方法。
【００５６】
１９．前記上位層データフローのＱｏＳ要件が同様であるときに、前記物理的送信およびＨ−ＡＲＱ構成は、前記利用可能なＨ−ＡＲＱプロセスにわたるＱｏＳが同様であるように判定される実施形態５〜１８のいずれかの方法。
【００５７】
２０．高いチャンネル品質を有するＨ−ＡＲＱプロセスに高い順位のＭＣＳが適用され、低いチャンネル品質を有するＨ−ＡＲＱプロセスに低い順位のＭＣＳが適用される実施形態１９の方法。
【００５８】
２１．最大の再送信の数は、前記Ｈ−ＡＲＱプロセスにマップされた上位層データフローの前記ＱｏＳ要件に基づいて各Ｈ−ＡＲＱプロセスに割り当てられる実施形態１９〜２０のいずれかの方法。
【００５９】
２２．前記上位層データフローのＱｏＳ要件が同様でないときに、前記上位層データフローの各々は、前記上位層データフローのＱｏＳ要件に密接に合致するチャンネル品質に関連付けられたＨ−ＡＲＱプロセスにマップされる実施形態５〜１８のいずれかの方法。
【００６０】
２３．前記上位層データフローのＱｏＳ要件が同様でないときに、再送信の最大数は、前記Ｈ−ＡＲＱプロセスにマップされた上位層データフローの前記ＱｏＳ要件に基づいてＨ−ＡＲＱプロセスに割り当てられる実施形態５〜１８のいずれかの方法。
【００６１】
２４．前記Ｈ−ＡＲＱプロセスにマップされた物理資源は、ＴＢの送信が失敗したときに、前記ＴＢの再送信に対して不変である実施形態２〜２３のいずれかの方法。
【００６２】
２５．物理的送信およびＨ−ＡＲＱ構成は、前記ＴＢの再送信に対して変更される実施形態２４の方法。
【００６３】
２６．前記ＴＢは、再送信に対して断片化される実施形態２４の方法。
【００６４】
２７．前記ＴＢにマップされた物理資源は、前記ＴＢの送信が失敗したときに、前記ＴＢの再送信に対して変更される実施形態２〜２３のいずれかの方法。
【００６５】
２８．前記無線通信システムは、ＨＳＰＡ＋システムである実施形態１〜２７のいずれかの方法。
【００６６】
２９．前記無線通信システムは、３Ｇ無線通信システムのＬＴＥである実施形態１〜２７のいずれかの方法。
【００６７】
３０．前記利用可能な物理資源および関連付けられたＨ−ＡＲＱプロセスは、共通のＴＴＩ境界の始めにて判定される実施形態２〜２９のいずれかの方法。
【００６８】
３１．前記物理的送信パラメータは、各ＴＢのＭＣＳを含む実施形態５〜３０のいずれかの方法。
【００６９】
３２．各ＴＢのＭＣＳは、前記ＴＢのＱｏＳ要件を差別化するように選択される実施形態３１の方法。
【００７０】
３３．各ＴＢのＭＣＳは、前記Ｈ−ＡＲＱプロセスにわたってサポートされた前記ＱｏＳが同様であるように選択される実施形態３１の方法。
【００７１】
３４．前記物理的送信パラメータは、各ＴＢのトランスポートブロックサイズを含む実施形態５〜３３のいずれかの方法。
【００７２】
３５．各ＴＢのＴＢサイズは、前記ＴＢのＱｏＳ要件を差別化するように選択される実施形態３４の方法。
【００７３】
３６．各ＴＢのＴＢサイズは、前記Ｈ−ＡＲＱプロセスにわたってサポートされた前記ＱｏＳが同様であるように選択される実施形態３４の方法。
【００７４】
３７．無線通信システムにおいて、複数のＴＢを複数のＨ−ＡＲＱプロセスにより１つのＴＴＩで同時に送信するための装置。
【００７５】
３８．複数のＨ−ＡＲＱプロセスを備える実施形態３７の装置。
【００７６】
３９．利用可能な物理資源および前記利用可能な物理資源に関連付けられたＨ−ＡＲＱプロセスを識別し、前記利用可能な物理資源の各々のチャンネル品質および前記上位層データフローのＱｏＳ要件に基づいて、少なくとも１つの上位層データフローを少なくとも２つのＨ−ＡＲＱプロセスにマップし、物理的送信パラメータおよびＨ−ＡＲＱ構成を判定して各Ｈ−ＡＲＱプロセスにマップされた前記上位層データフローのＱｏＳ要件をサポートするように構成されたコントローラを備える実施形態３８の装置。
【００７７】
４０．複数の多重化およびリンクアダプテーションプロセッサを備え、これにより、各多重化およびリンクアダプテーションプロセッサが１つのＨ−ＡＲＱプロセスに関連付けられ、各Ｈ−ＡＲＱプロセスの前記物理的送信パラメータおよびＨ−ＡＲＱ構成に従って、前記多重化およびリンクアダプテーションプロセッサにマップされた前記上位層データフローからＴＢを発生するように構成された実施形態３９の装置。
【００７８】
４１．各多重化およびリンクアダプテーションプロセスは、マップされた前記上位層データフローに対するＴＦＣを判定する実施形態４０の装置。
【００７９】
４２．前記コントローラは、ＭＩＭＯのための複数のアンテナにより発生される独立の空間データストリームに基づいて前記利用可能な物理資源を識別する実施形態３９〜４１のいずれかの装置。
【００８０】
４３．前記コントローラは、独立のサブキャリアに基づいて前記利用可能な物理資源を識別する実施形態３９〜４２のいずれかの装置。
【００８１】
４４．前記サブキャリアは、分散されたサブキャリアである実施形態４３の装置。
【００８２】
４５．前記サブキャリアは、局所化されたサブキャリアである実施形態４３の装置。
【００８３】
４６．前記コントローラは、独立のチャンネル化符号に基づいて前記利用可能な物理資源を識別する実施形態３９〜４５のいずれかの装置。
【００８４】
４７．前記利用可能な物理資源は、異なる時間スロットに基づいて識別される実施形態３９〜４６のいずれかの装置。
【００８５】
４８．前記物理資源および前記Ｈ−ＡＲＱプロセスの前記関連付けは、動的に判定される実施形態３９〜４７のいずれかの装置。
【００８６】
４９．前記物理資源および前記Ｈ−ＡＲＱプロセスの前記関連付けは、準静的に構成される実施形態３９〜４７のいずれかの装置。
【００８７】
５０．前記コントローラは、次のＴＴＩにおいて送信されるべき少なくとも１つの上位層データフローを選択し、前記選択された上位層データフローのみを前記Ｈ−ＡＲＱプロセスにマップするように構成される実施形態３９〜４９のいずれかの装置。
【００８８】
５１．前記上位層データフロー上のパケットは、寿命時間が割り当てられ、これにより、前記コントローラが前記寿命時間に基づいて送信のためのパケットを選択する実施形態５０の装置。
【００８９】
５２．前記上位層データフローのＱｏＳ要件が同様であるときに、前記コントローラは、前記利用可能なＨ−ＡＲＱプロセスにわたってＱｏＳを正規化するように前記物理的送信およびＨ−ＡＲＱ構成を判定する実施形態３９〜５１のいずれかの装置。
【００９０】
５３．前記コントローラは、高いチャンネル品質を有するＨ−ＡＲＱプロセスに高い順位のＭＣＳを適用し、低いチャンネル品質を有するＨ−ＡＲＱプロセスに低い順位のＭＣＳを適用する実施形態５２の装置。
【００９１】
５４．前記コントローラは、前記Ｈ−ＡＲＱプロセスにマップされた前記上位層データの前記ＱｏＳ要件に基づいて各Ｈ−ＡＲＱプロセスに最大の再送信制限を割り当てる実施形態５２の装置。
【００９２】
５５．前記上位層データのＱｏＳ要件が同様でないときに、前記コントローラは、前記上位層データの前記ＱｏＳ要件に密接に合致するチャンネル品質に関連付けられたＨ−ＡＲＱプロセスに前記上位層データをマップする実施形態３９〜５１のいずれかの装置。
【００９３】
５６．前記上位層データのＱｏＳ要件が同様でないときに、前記コントローラは、前記Ｈ−ＡＲＱプロセスへマップされた前記上位層データの前記ＱｏＳ要件に基づいてＨ−ＡＲＱプロセスに最大再送信限界を割り当てる実施形態３９〜５１のいずれかの装置。
【００９４】
５７．前記コントローラは、ＴＢの送信が失敗したときに、前記ＴＢの再送信のために同じ物理資源を割り当てる実施形態３９〜５６のいずれかの装置。
【００９５】
５８．前記コントローラは、前記ＴＢの再送信に対して物理的送信およびＨ−ＡＲＱ構成を変更する実施形態５７の装置。
【００９６】
５９．前記コントローラは、再送信に対して前記ＴＢを断片化する実施形態５７〜５８のいずれかの装置。
【００９７】
６０．前記コントローラは、ＴＢの送信が失敗したときに、前記ＴＢの再送信に対する物理資源を変更する実施形態３９〜５６のいずれかの装置。
【００９８】
６１．前記無線通信システムは、ＨＳＰＡ＋システムである実施形態３７〜６０のいずれかの装置。
【００９９】
６２．前記無線通信システムは、３Ｇ無線通信システムのＬＴＥである実施形態３７〜６０のいずれかの装置。
【０１００】
６３．前記利用可能な物理資源および関連付けられたＨ−ＡＲＱプロセスは、共通のＴＴＩ境界の始めにて判定される実施形態３９〜６２のいずれかの装置。
【０１０１】
６４．前記物理的送信パラメータは、各ＴＢのＭＣＳを含む実施形態３９〜６３のいずれかの装置。
【０１０２】
６５．各ＴＢのＭＣＳは、前記ＴＢのＱｏＳ要件を差別化するように選択される実施形態６４の装置。
【０１０３】
６６．各ＴＢのＭＣＳは、前記Ｈ−ＡＲＱプロセスにわたってサポートされた前記ＱｏＳが同様になるように選択される実施形態６４の装置。
【０１０４】
６７．前記物理的送信パラメータは、各ＴＢのトランスポートブロックサイズを含む実施形態３９〜６６のいずれかの装置。
【０１０５】
６８．各ＴＢのＴＢサイズは、前記ＴＢのＱｏＳ要件を差別化するように選択される実施形態６７の装置。
【０１０６】
６９．各ＴＢのＴＢサイズは、Ｈ−ＡＲＱプロセスにわたってサポートされた前記ＱｏＳが同様になるように選択される実施形態６７の装置。
【０１０７】
本発明の特徴および構成要素が好適な実施形態において特定の組み合わせにて説明されているが、各特徴または構成要素は好適な実施形態の他の特徴および構成要素なしで単独で、または本発明の他の特徴および構成要素のあるなしにかかわらず、様々な組み合わせにて使用することができる。本発明において提供された方法またはフローチャートは、汎用目的のコンピュータまたはプロセッサによる実行のためにコンピュータ読取可能記憶媒体にて有形的に具体化されたコンピュータプログラム、ソフトウェア、またはファームウェアにて実装することができる。コンピュータ読取可能記憶媒体の例としては、読み出し専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、磁気−光学媒体、ならびにＣＤ−ＲＯＭディスクおよびデジタル多用途ディスク（ＤＶＤ）などの光学媒体が含まれる。
【０１０８】
適したプロセッサとしては、例として、汎用目的プロセッサ、専用目的プロセッサ、従来のプロセッサ、デジタル信号プロセッサ（ＤＳＰ）、複数のマイクロプロセッサ、ＤＳＰコアに関連付けられた１つまたは複数のマイクロプロセッサ、コントローラ、マイクロコントローラ、ＡＳＩＣ、ＦＰＧＡ回路、任意の他のタイプの集積回路（ＩＣ）、および／または状態マシンが含まれる。
【０１０９】
ソフトウェアに関連するプロセッサは、無線送受信ユニット（ＷＴＲＵ）、ユーザ機器（ＵＥ）、端末、基地局、無線ネットワークコントローラ（ＲＮＣ）、または任意のホストコンピュータにおける使用のために無線周波数送受信機を実装するために使用することができる。ＷＴＲＵは、カメラ、ビデオカメラモジュール、テレビ電話、スピーカフォン、振動デバイス、スピーカ、マイクロホン、テレビ送受信機、ハンズフリーハンドセット、キーボード、ブルートゥース（Ｂｌｕｅｔｏｏｔｈ（登録商標））モジュール、周波数変調（ＦＭ）された無線ユニット、液晶（ＬＣＤ）ディスプレイ装置、有機発光ダイオード（ＯＬＥＤ）ディスプレイユニット、デジタル音楽プレーヤ、メディアプレーヤ、テレビゲームプレーヤモジュール、インターネットブラウザ、および／または任意の無線ローカルエリアネットワーク（ＷＬＡＮ）モジュールなどのハードウェアおよび／またはソフトウェアで実施されたモジュールと関連して使用することができる。
【図面の簡単な説明】
【０１１０】
【図１】本発明に従って構成された装置のブロック図である。
【図２】本発明に従って、複数のＨ−ＡＲＱプロセスにより複数のＴＢを１つのＴＴＩで同時に送信するためのプロセスのフロー図である。
【図１】
2009522870.tif 000003
【図２】
2009522870.tif 000004
【手続補正書】
【提出日】平成20年9月1日(2008.9.1)
【手続補正１】
【補正対象書類名】特許請求の範囲
【補正対象項目名】全文
【補正方法】変更
【補正の内容】
【特許請求の範囲】
【請求項１】
１つの送信時間間隔（ＴＴＩ）において複数のトランスポートブロック（ＴＢ）を送信するための方法であって、
独立の周波数サブキャリアに基づいて利用可能な物理資源および関連付けられたハイブリッド自動リピート要求（Ｈ−ＡＲＱ）プロセスを識別することと、
前記利用可能な物理資源の各々のチャンネル品質測定を得ることと、
少なくとも１つの上位層データフローを少なくとも２つのＨ−ＡＲＱプロセスに対応付けることであって、各上位層データフロー上のパケットが寿命時間を割り当てられることと、
各Ｈ−ＡＲＱプロセスにマップされた前記上位層データフローのサービス品質（ＱｏＳ）要件をサポートするように物理的送信パラメータおよびＨ−ＡＲＱ構成を判定することと、
各Ｈ−ＡＲＱプロセスの前記物理的送信パラメータおよびＨ−ＡＲＱ構成に従って、前記マップされた上位層データフローからトランスポートブロック（ＴＢ）をそれぞれ発生することと、
前記ＴＢを前記Ｈ−ＡＲＱプロセス経由で同時に送信することと
を備えることを特徴とする方法。
【請求項２】
前記物理的送信パラメータおよびＨ−ＡＲＱ構成は、各ＴＢのトランスポートフォーマットコンビネーション（ＴＦＣ）を含むことを特徴とする請求項１に記載の方法。
【請求項３】
前記通信ノードは、多入力多出力（ＭＩＭＯ）のための複数のアンテナを含み、前記利用可能な物理資源は、独立の空間データストリームに基づいて識別されることを特徴とする請求項１に記載の方法。
【請求項４】
前記サブキャリアは、分散されたサブキャリアであることを特徴とする請求項１に記載の方法。
【請求項５】
前記サブキャリアは、局所化されたサブキャリアであることを特徴とする請求項１に記載の方法。
【請求項６】
前記利用可能な物理資源は、独立のチャンネル化符号に基づいて識別されることを特徴とする請求項１に記載の方法。
【請求項７】
前記利用可能な物理資源は、異なる時間スロットに基づいて識別されることを特徴とする請求項１に記載の方法。
【請求項８】
前記物理資源および前記Ｈ−ＡＲＱプロセスの前記関連付けは、動的に判定されることを特徴とする請求項１に記載の方法。
【請求項９】
前記物理資源および前記Ｈ−ＡＲＱプロセスの前記関連付けは、準静的に構成されることを特徴とする請求項１に記載の方法。
【請求項１０】
次のＴＴＩにおいて送信されるべき上位層データフローを選択することをさらに備え、これにより、前記選択された上位層データフローのみが前記Ｈ−ＡＲＱプロセスにマップされることを特徴とする請求項１に記載の方法。
【請求項１１】
送信のためのパケットの前記選択は、前記寿命時間に基づいて為されることを特徴とする請求項１０に記載の方法。
【請求項１２】
前記上位層データフローのＱｏＳ要件が同様であるときに、前記物理的送信およびＨ−ＡＲＱ構成は、前記利用可能なＨ−ＡＲＱプロセスにわたるＱｏＳが同様であるように判定されることを特徴とする請求項１に記載の方法。
【請求項１３】
高い順位の変調および符号方式（ＭＣＳ）は、高いチャンネル品質を有するＨ−ＡＲＱプロセスに適用され、低い順位のＭＣＳは、低いチャンネル品質を有するＨ−ＡＲＱプロセスに適用されることを特徴とする請求項１２に記載の方法。
【請求項１４】
最大の再送信の数は、前記Ｈ−ＡＲＱプロセスにマップされた上位層データフローの前記ＱｏＳ要件に基づいて各Ｈ−ＡＲＱプロセスに割り当てられることを特徴とする請求項１２に記載の方法。
【請求項１５】
前記上位層データフローのＱｏＳ要件が同様でないときに、前記上位層データフローの各々は、前記上位層データフローのＱｏＳ要件に密接に合致するチャンネル品質に関連付けられたＨ−ＡＲＱプロセスにマップされることを特徴とする請求項１に記載の方法。
【請求項１６】
前記上位層データフローのＱｏＳ要件が同様でないときに、再送信の最大数は、前記Ｈ−ＡＲＱプロセスにマップされた上位層データフローの前記ＱｏＳ要件に基づいてＨ−ＡＲＱプロセスに割り当てられることを特徴とする請求項１に記載の方法。
【請求項１７】
前記Ｈ−ＡＲＱプロセスにマップされた物理資源は、ＴＢの送信が失敗したときに、前記ＴＢの再送信に対して不変であることを特徴とする請求項１に記載の方法。
【請求項１８】
物理的送信およびＨ−ＡＲＱ構成は、前記ＴＢの再送信に対して変更されることを特徴とする請求項１７に記載の方法。
【請求項１９】
前記ＴＢは、再送信に対して断片化されることを特徴とする請求項１７に記載の方法。
【請求項２０】
前記ＴＢにマップされた物理資源は、前記ＴＢの送信が失敗したときに、前記ＴＢの再送信に対して変更されることを特徴とする請求項１に記載の方法。
【請求項２１】
前記無線通信システムは、発展型高速パケットアクセス（ＨＳＰＡ＋）システムであることを特徴とする請求項１に記載の方法。
【請求項２２】
前記無線通信システムは、第三世代（３Ｇ）無線通信システムの長期発展形（ＬＴＥ）であることを特徴とする請求項１に記載の方法。
【請求項２３】
前記利用可能な物理資源および関連付けられたＨ−ＡＲＱプロセスは、共通のＴＴＩ境界の始めにて判定されることを特徴とする請求項１に記載の方法。
【請求項２４】
前記物理的な送信パラメータは、各ＴＢの変調および符号方式（ＭＳＣ）を含むことを特徴とする請求項１に記載の方法。
【請求項２５】
各ＴＢのＭＣＳは、前記ＴＢのＱｏＳ要件を差別化するように選択されることを特徴とする請求項２４に記載の方法。
【請求項２６】
各ＴＢのＭＣＳは、前記Ｈ−ＡＲＱプロセスにわたってサポートされた前記ＱｏＳが同様であるように選択されることを特徴とする請求項２４に記載の方法。
【請求項２７】
前記物理的送信パラメータは、各ＴＢのトランスポートブロックサイズを含むことを特徴とする請求項１に記載の方法。
【請求項２８】
各ＴＢのＴＢサイズは、前記ＴＢのＱｏＳ要件を差別化するように選択されることを特徴とする請求項２７に記載の方法。
【請求項２９】
各ＴＢのＴＢサイズは、前記Ｈ−ＡＲＱプロセスにわたってサポートされた前記ＱｏＳが同様であるように選択されることを特徴とする請求項２７に記載の方法。
【請求項３０】
１つの送信時間間隔（ＴＴＩ）において複数のトランスポートブロック（ＴＢ）を送信するための装置であって、
複数のハイブリッド自動リピート要求（Ｈ−ＡＲＱ）プロセスと、
独立の周波数サブキャリアに基づいて、利用可能な物理資源および前記利用可能な物理資源に関連付けられたＨ−ＡＲＱプロセスを識別し、前記利用可能な物理資源の各々のチャンネル品質および前記上位層データフローのサービス品質（ＱｏＳ）要件に基づいて、少なくとも１つの上位層データフローを少なくとも２つのＨ−ＡＲＱプロセスにマップし、各Ｈ−ＡＲＱプロセスにマップされた前記上位層データフローのＱｏＳ要件をサポートするように物理的送信パラメータおよびＨ−ＡＲＱ構成を判定するように構成されたコントローラと、
複数の多重化およびリンクアダプテーションプロセッサであって、各多重化およびリンクアダプテーションプロセッサが、１つのＨ−ＡＲＱプロセスに関連付けられ、各Ｈ−ＡＲＱプロセスの前記物理的送信パラメータおよびＨ−ＡＲＱ構成に従って、前記多重化およびリンクアダプテーションプロセッサにマップされた前記上位層データフローからＴＢを発生するように構成された複数の多重化およびリンクアダプテーションプロセッサと
を備えることを特徴とする装置。
【請求項３１】
各多重化およびリンクアダプテーションプロセスは、マップされた前記上位層データフローのトランスポートフォーマットコンビネーション（ＴＦＣ）を判定することを特徴とする請求項３０に記載の装置。
【請求項３２】
前記コントローラは、多入力多出力（ＭＩＭＯ）のための複数のアンテナによって発生された独立の空間データストリームに基づいて前記利用可能な物理資源を識別することを特徴とする請求項３０に記載の装置。
【請求項３３】
前記サブキャリアは、分散されたサブキャリアであることを特徴とする請求項３０に記載の装置。
【請求項３４】
前記サブキャリアは、局所化されたサブキャリアであることを特徴とする請求項３０に記載の装置。
【請求項３５】
前記コントローラは、独立のチャンネル化符号に基づいて前記利用可能な物理資源を識別することを特徴とする請求項３０に記載の装置。
【請求項３６】
前記利用可能な物理資源は、異なる時間スロットに基づいて識別されることを特徴とする請求項３０に記載の装置。
【請求項３７】
前記物理資源および前記Ｈ−ＡＲＱプロセスの前記関連付けは、動的に判定されることを特徴とする請求項３０に記載の装置。
【請求項３８】
前記物理資源および前記Ｈ−ＡＲＱプロセスの前記関連付けは、静的に構成されることを特徴とする請求項３０に記載の装置。
【請求項３９】
前記コントローラは、次のＴＴＩにおいて送信されるべき少なくとも１つの上位層データフローを選択し、前記選択された上位層データフローのみを前記Ｈ−ＡＲＱプロセスにマップするように構成されることを特徴とする請求項３０に記載の装置。
【請求項４０】
前記上位層データフロー上のパケットは、寿命時間が割り当てられ、これにより、前記コントローラが前記寿命時間に基づいて送信のためのパケットを選択することを特徴とする請求項３９に記載の装置。
【請求項４１】
前記コントローラは、高いチャンネル品質を有するＨ−ＡＲＱプロセスに高い順位の変調および符号方式（ＭＣＳ）を適用し、低いチャンネル品質を有するＨ−ＡＲＱプロセスに低い順位のＭＣＳを適用することを特徴とする請求項３０に記載の装置。
【請求項４２】
前記コントローラは、前記Ｈ−ＡＲＱプロセスにマップされた前記上位層データの前記ＱｏＳ要件に基づいて各Ｈ−ＡＲＱプロセスに最大の再送信制限を割り当てることを特徴とする請求項３０に記載の装置。
【請求項４３】
前記上位層データのＱｏＳ要件が同様でないときに、前記コントローラは、前記上位層データのＱｏＳ要件に密接に合致するチャンネル品質に関連付けられたＨ−ＡＲＱプロセスに前記上位層データをマップすることを特徴とする請求項３０に記載の装置。
【請求項４４】
前記上位層のデータのＱｏＳ要件が同様でないときに、前記コントローラは、Ｈ−ＡＲＱプロセスに前記Ｈ−ＡＲＱプロセスへマップされた前記上位層データの前記ＱｏＳ要件に基づいて最大再送信限界を割り当てることを特徴とする請求項３０に記載の装置。
【請求項４５】
前記コントローラは、ＴＢの送信が失敗したときに、前記ＴＢの再送信に対して同じ物理資源を割り当てることを特徴とする請求項３０に記載の装置。
【請求項４６】
前記コントローラは、前記ＴＢの再送信に対して物理的送信およびＨ−ＡＲＱ構成を変更することを特徴とする請求項４５に記載の装置。
【請求項４７】
前記コントローラは、再送信に対して前記ＴＢを断片化することを特徴とする請求項４５に記載の装置。
【請求項４８】
前記コントローラは、ＴＢの送信が失敗したときに、前記ＴＢの再送信に対する物理資源を変更することを特徴とする請求項３０に記載の装置。
【請求項４９】
前記無線通信システムは、発展型高速パケットアクセス（ＨＳＰＡ＋）システムであることを特徴とする請求項３０に記載の装置。
【請求項５０】
前記無線通信システムは、第三世代（３Ｇ）無線通信システムの長期発展形（ＬＴＥ）であることを特徴とする請求項３０に記載の装置。
【請求項５１】
前記利用可能な物理資源および関連付けられたＨ−ＡＲＱプロセスは、共通のＴＴＩ境界の始めにて判定されることを特徴とする請求項３０に記載の装置。
【請求項５２】
前記物理的送信パラメータは、各ＴＢの変調および符号方式（ＭＣＳ）を含むことを特徴とする請求項３０に記載の装置。
【請求項５３】
各ＴＢのＭＣＳは、前記ＴＢのＱｏＳ要件を差別化するように選択されることを特徴とする請求項５２に記載の装置。
【請求項５４】
各ＴＢのＭＣＳは、前記Ｈ−ＡＲＱプロセスにわたってサポートされた前記ＱｏＳが同様になるように選択されることを特徴とする請求項５２に記載の装置。
【請求項５５】
前記物理的送信パラメータは、各ＴＢのトランスポートブロックサイズを含むことを特徴とする請求項３０に記載の装置。
【請求項５６】
各ＴＢのＴＢサイズは、前記ＴＢのＱｏＳ要件を差別化するように選択されることを特徴とする請求項５５に記載の装置。
【請求項５７】
各ＴＢのＴＢサイズは、Ｈ−ＡＲＱプロセスにわたってサポートされた前記ＱｏＳが同様になるように選択されることを特徴とする請求項５５に記載の装置。
【請求項５８】
複数のハイブリッド自動リピート要求（Ｈ−ＡＲＱ）プロセスと、
利用可能な物理資源および前記利用可能な物理資源に関連付けられたＨ−ＡＲＱプロセスを識別し、前記利用可能な物理資源の各々のチャンネル品質および前記上位層データフローのサービス品質（ＱｏＳ）要件に基づいて、少なくとも１つの上位層データフローを少なくとも２つのＨ−ＡＲＱプロセスにマップし、各Ｈ−ＡＲＱプロセスにマップされた前記上位層データフローのＱｏＳ要件をサポートするように物理的送信パラメータおよびＨ−ＡＲＱ構成を判定するように構成されたコントローラであって、前記上位層データフローのＱｏＳ要件が同様であるときに、前記利用可能なＨ−ＡＲＱプロセスにわたってＱｏＳを正規化するように前記物理的送信およびＨ−ＡＲＱ構成を判定するコントローラと、
複数の多重化およびリンクアダプテーションプロセッサであって、各多重化およびリンクアダプテーションプロセッサが１つのＨ−ＡＲＱプロセスに関連付けられ、各Ｈ−ＡＲＱプロセスの前記物理的送信パラメータおよびＨ−ＡＲＱ構成に従って、前記多重化およびリンクアダプテーションプロセッサにマップされた前記上位層データフローからＴＢを発生するように構成された複数の多重化およびリンクアダプテーションプロセッサと
を備えたことを特徴とする無線送受信ユニット（ＷＴＲＵ）。
【請求項５９】
複数のハイブリッド自動リピート要求（Ｈ−ＡＲＱ）プロセスと、
利用可能な物理資源および前記利用可能な物理資源に関連付けられたＨ−ＡＲＱプロセスを識別し、前記利用可能な物理資源の各々のチャンネル品質および前記上位層データフローのサービス品質（ＱｏＳ）要件に基づいて、少なくとも１つの上位層データフローを少なくとも２つのＨ−ＡＲＱプロセスにマップし、各Ｈ−ＡＲＱプロセスにマップされた前記上位層データフローのＱｏＳ要件をサポートするように物理的送信パラメータおよびＨ−ＡＲＱ構成を判定するように構成されたコントローラであって、前記上位層データフローのＱｏＳ要件が同様であるときに、前記利用可能なＨ−ＡＲＱプロセスにわたってＱｏＳを正規化するように前記物理的送信およびＨ−ＡＲＱ構成を判定するコントローラと、
複数の多重化およびリンクアダプテーションプロセッサであって、各多重化およびリンクアダプテーションプロセッサが１つのＨ−ＡＲＱプロセスに関連付けられ、各Ｈ−ＡＲＱプロセスの前記物理的送信パラメータおよびＨ−ＡＲＱ構成に従って、前記多重化およびリンクアダプテーションプロセッサにマップされた前記上位層データフローからＴＢを発生するように構成された複数の多重化およびリンクアダプテーションプロセッサと
を備えることを特徴とする基地局（ＢＳ）。
【国際調査報告】
2009522870.tif 000005
2009522870.tif 000006
2009522870.tif 000007
2009522870.tif 000008
2009522870.tif 000009
2009522870.tif 000010
2009522870.tif 000011